(57)【要約】【目的】  複数のユーザーが便座シートを使用する場合でも衛生上の問題や各ユーザーに不潔感を与えてしまうという問題を回避することができ、ユーザーにとって使い心地の良い便座シートを簡便に使用できるような、背もたれを利用した便座シート供給装置を提供する。【構成】  便座の後方に配置された背もたれと、前記背もたれの内部に形成され、前記便座シートを収容可能に形成された背もたれ内の便座シート用空洞部と、前記便座シートを前記便座上の位置と前記便座シート用空洞部内の位置との間で往復移動させるための便座シート移動手段と、前記便座シート移動手段を制御するための便座シート移動制御手段とを備えた、背もたれを利用した便座シート供給装置である。【選択図】    図７Ａ
2008018196.tif 000002
【特許請求の範囲】
【請求項１】
便座の後方に配置された背もたれと、
前記背もたれの内部に形成され、少なくとも前記背もたれから前記便座に向かう方向又は前記便座から前記背もたれに向かう方向に沿って湾曲可能に形成されている少なくとも一枚の便座シートを収容可能に形成された前記背もたれ内の便座シート用空洞部と、
前記便座シートを前記便座上の位置と前記便座シート用空洞部内の位置との間で往復移動させるための便座シート移動手段と、
ユーザーによる便座の使用が開始されるときは前記便座シートを前記便座シート用空洞部内の位置から前記便座上の位置に移動させると共に、ユーザーによる便座の使用が終了したときは前記便座シートを前記便座上の位置から前記便座シート用空洞部内の位置へ移動させるように、前記便座シート移動手段を制御するための便座シート移動制御手段と、
を備えたことを特徴とする、背もたれを利用した便座シート供給装置。
【請求項２】
便座の後方に配置された背もたれと、
前記背もたれの内部に形成され、それぞれが少なくとも前記背もたれから前記便座に向かう方向又は前記便座から前記背もたれに向かう方向に沿って湾曲可能に形成されている複数の便座シートを、収容可能に形成された、前記背もたれ内の便座シート用空洞部と、
前記複数の便座シートの中のいずれか一つを前記便座上の位置と前記便座シート用空洞部内の位置との間で往復移動させるための便座シート移動手段と、
ユーザーによる便座の使用が開始されるときは前記複数の便座シートの中のいずれか一つを前記便座シート用空洞部内の位置から前記便座上の位置に移動させると共に、ユーザーによる便座の使用が終了したときは前記便座シートを前記便座上の位置から前記便座シート用空洞部内の位置へ移動させるように、前記便座シート移動手段を制御するための便座シート移動制御手段と、
を備えたことを特徴とする、背もたれを利用した便座シート供給装置。
【請求項３】
請求項２において、
前記複数の便座シートは、それぞれ、複数のユーザーのそれぞれが選択的に使用するものであり、
前記背もたれ内の便座シート用空洞部内における前記各便座シートの収容位置を前記各ユーザーの識別情報とそれぞれ対応させて記録しておくための記録手段と、
前記各ユーザーを識別するための情報を入力するためのユーザー情報取得手段と、
を備え、
前記便座シート移動制御手段は、前記ユーザー情報取得手段からのユーザー識別情報と前記記録手段からの便座シートの収容位置情報とに基づいて、前記便座シート移動手段を制御するものであり、
前記便座シート移動手段は、前記便座シート移動制御手段からの情報に基づいて、前記背もたれ内の便座シート用空洞部内の複数の便座シートの中からいずれか一つの便座シートを選択的に移動させるものである、ことを特徴とする、背もたれを利用した便座シート供給装置。
【請求項４】
請求項１，２，又は３において、
前記便座シートは、少なくともその表面側がプラスチックやゴムなどの柔軟な素材により形成されている、ことを特徴とする、背もたれを利用した便座シート供給装置。
【請求項５】
請求項１，２，又は３において、
前記便座のユーザーから見て前方の位置に配置され、前記便座に腰掛けているユーザーの両脚を載せるための載置台と、
前記載置台を、床面又はこれに近接した第１の高さ位置と前記第１の高さ位置よりも所定距離だけ上方の第２の高さ位置との間で昇降させるための昇降部と、
を備えたことを特徴とする、背もたれを利用した便座シート供給装置。
【請求項６】
請求項１，２，又は３において、
前記背もたれ内の便座シート用空洞部には、その内部に収容されている便座シートを殺菌するための便座シート殺菌手段、が備えられている、ことを特徴とする、背もたれを利用した便座シート供給装置。
【請求項７】
請求項１，２，又は３において、
前記背もたれ内の便座シート用空洞部には、その内部に収容されている便座シートを加温するための便座シート加温手段、が備えられている、ことを特徴とする、背もたれを利用した便座シート供給装置。
【請求項８】
請求項１，２，又は３において、
前記背もたれ内の便座シート用空洞部には、その内部に収容されている便座シートを、その表面の異物を除去することにより、清掃するための便座シート清掃手段、が備えられている、ことを特徴とする、背もたれを利用した便座シート供給装置。
【発明の詳細な説明】
【技術分野】
【０００１】
本発明は、背もたれを利用した便座シート供給装置に関する。
【背景技術】
【０００２】
従来より、便座の背後に背もたれを備えた便器装置が提案されている。例えば、図８は、特許文献１により開示された便器装置である。この特許文献１の便器装置においては、便器の上方を覆うための便蓋がその使用時のユーザーから見て後ろ側に在るヒンジ部を支点として回動可能に備られており、軟質部材から成る背もたれが前記便座の前記後ろ側に備えられており、且つ、前記背もたれのユーザーに対向する表面の略中央部に前記便蓋が入り込めるような凹部が形成されている。
【特許文献１】特願平８−１８７２０５号公報
【発明の開示】
【発明が解決しようとする課題】
【０００３】
従来の便器装置においては、便座上に配置する便座シートは、本発明者の知る限りでは、便座上に常時固定するタイプか、ユーザーが便座の使用前に自分の手で便座上に広げて載置し使用後は便器の中に捨てて水に流すタイプかの２種類しか無い。しかし、便座上に常時固定するタイプの便座シートは、複数のユーザーが使用する場合は衛生上の問題や各ユーザーに不潔感を与えてしまうという問題があった。また、ユーザーが便座の使用前に自分の手で便座上に広げて使用後は水に流すタイプの紙製の便座シートは、ユーザーにとって煩雑で薄いため使い心地が悪いという問題があった。特に前述のような紙製の使い捨てタイプは、薄い紙製で所定の厚みも弾力も全く無いなので、使い心地が悪いという問題があった。
【０００４】
また、従来の洋式の便器装置においては、便座の高さが多数の人の平均身長に合わせて作られているので、身長の低い人や子供などにとっては、便座の高さが高すぎて排便時に腹部に力を入れ難いという問題があった。
【０００５】
本発明は、このような従来技術の問題点に着目してなされたものであって、複数のユーザーが便座シートを使用する場合でも衛生上の問題や各ユーザーに不潔感を与えてしまうという問題を回避することができ、ユーザーにとって使い心地の良い便座シートを簡便に使用できるような、背もたれを利用した便座シート供給装置を提供することを目的とする。
【０００６】
また、本発明は、身長の低い人や子供などにとっても、便座の高さが高すぎて排便時に腹部に力を入れ難いという問題を回避することができる、背もたれを利用した便座シート供給装置を提供することを目的とする。
【課題を解決するための手段】
【０００７】
本発明による背もたれを利用した便座シート供給装置は、便座の後方に配置された背もたれと、便座の上面の一部又は全体を覆うことができる便座シート（この便座シートは、ユーザーの使い心地を良くするために、少なくともその表面側がプラスチックやゴムなどの柔軟な素材により形成されていること、及び、少なくとも表面側は柔軟な部材である程度の厚み（例えば約２〜５ｍｍ又はそれ以上）を有すること、が望ましい）であって、少なくとも前記背もたれから前記便座に向かう方向又は前記便座から前記背もたれに向かう方向に沿って湾曲（折り曲げ）可能に形成され、且つ、少なくともその表面側がプラスチックやゴムなどの柔軟な素材により形成されている便座シートと、前記背もたれの内部に形成され、前記便座シートを収容可能に形成された背もたれ内の便座シート用空洞部と、前記便座シートを前記便座上の位置と前記便座シート用空洞部内の位置との間で往復移動させるための便座シート移動手段と、ユーザーによる便座の使用が開始されるときは前記便座シートを前記便座シート用空洞部内の位置から前記便座上の位置に移動させると共に、ユーザーによる便座の使用が終了したときは前記便座シートを前記便座上の位置から前記便座シート用空洞部内の位置へ移動させるように、前記便座シート移動手段を制御するための便座シート移動制御手段と、を備えたことを特徴とするものである。
【０００８】
また、本発明による背もたれを利用した便座シート供給装置は、便座の後方に配置された背もたれと、前記背もたれの内部に形成され、少なくとも前記背もたれから前記便座に向かう方向又は前記便座から前記背もたれに向かう方向に沿って湾曲（折り曲げ）可能に形成されている複数の便座シート（これらの便座シートは、ユーザーの使い心地を良くするために、少なくともその表面側がプラスチックやゴムなどの柔軟な素材により形成されていること、及び、少なくとも表面側は柔軟な部材である程度の厚み（例えば約２〜５ｍｍ又はそれ以上）を有すること、が望ましい）を収容可能に形成された背もたれ内の便座シート用空洞部と、前記複数の便座シートの中のいずれか一つを前記便座上の位置と前記便座シート用空洞部内の位置との間で往復移動させるための便座シート移動手段と、ユーザーによる便座の使用が開始されるときは前記複数の便座シートの中のいずれか一つを前記便座シート用空洞部内の位置から前記便座上の位置に移動させると共に、ユーザーによる便座の使用が終了したときは前記便座シートを前記便座上の位置から前記便座シート用空洞部内の位置へ移動させるように、前記便座シート移動手段を制御するための便座シート移動制御手段と、を備えたことを特徴とするものである。
【０００９】
また、本発明による背もたれを利用した便座シート供給装置においては、前記複数の便座シートは、それぞれ、複数のユーザーのそれぞれが選択的に使用するものであり、前記背もたれ内の便座シート用空洞部内における前記各便座シートの収容位置を前記各ユーザーの識別情報とそれぞれ対応させて記録しておくための記録手段と、前記各ユーザーを識別するための情報を入力するためのユーザー情報取得手段と、を備え、前記便座シート移動制御手段は、前記ユーザー情報取得手段からのユーザー識別情報と前記記録手段からの便座シートの収容位置情報とに基づいて、前記便座シート移動手段を制御するものであり、前記便座シート移動手段は、前記便座シート移動制御手段からの情報に基づいて、前記背もたれ内の便座シート用空洞部内の複数の便座シートの中からいずれか一つの便座シートを選択的に移動させるものである、ことを特徴とすることが望ましい。
【００１０】
また、本発明による背もたれを利用した便座シート供給装置においては、前記便座のユーザーから見て前方の位置に配置され、前記便座に腰掛けているユーザーの両脚を載せるための載置台と、前記載置台を、床面又はこれに近接した第１の高さ位置と前記第１の高さ位置よりも所定距離だけ上方の第２の高さ位置との間で昇降させるための昇降部と、を備えたことが望ましい。
【００１１】
また、本発明による背もたれを利用した便座シート供給装置においては、前記背もたれ内の便座シート用空洞部には、その内部に収容されている便座シートを殺菌するための便座シート殺菌手段、が備えられている、ことが望ましい。
【００１２】
また、本発明による背もたれを利用した便座シート供給装置においては、前記背もたれ内の便座シート用空洞部には、その内部に収容されている便座シートを加温するための便座シート加温手段、が備えられている、ことが望ましい。
【００１３】
さらに、本発明による背もたれを利用した便座シート供給装置においては、前記背もたれ内の便座シート用空洞部には、その内部に収容されている便座シートを、その表面の異物を除去することにより、清掃するための便座シート清掃手段、が備えられている、ことが望ましい。
【発明の効果】
【００１４】
本発明においては、前記背もたれの内部に便座シートを収容可能な便座シート用空洞部を形成し、前記便座シートを、ユーザーによる便座の使用が開始されるときは前記背もたれ内の便座シート用空洞部内の位置から前記便座上の位置に移動させると共に、ユーザーによる便座の使用が終了したときは前記便座上の位置から前記背もたれ内の便座シート用空洞部内の位置へ移動させるようにしている。よって、本発明によれば、従来の便器装置において生じていた「複数のユーザーが便座上に常時固定するタイプの便座シートを使用する場合は各ユーザーに不潔感や衛生上の問題を与えてしまう、また、ユーザーが便座の使用前に自分の手で便座上に広げて使用後は水に流すタイプの紙製の便座シートを使用する場合は煩雑で薄いため使い心地が悪いという問題」を回避することができ、ユーザーは、便座シートの使用の際に衛生上の問題や不潔感を与えることなく、便座シートを簡単に且つ手軽に使用できるようになる。
【００１５】
また、本発明によれば、前述の背もたれ内の便座シート用空洞部内に複数の便座シートを用意しておき、前記制御手段及び便座シート移動手段により、前記複数の便座シートの中のいずれか一つを選択的に便座の上に移動させるようにしている。よって、例えば、各ユーザーは、便器を使用する度に、各ユーザーに対応する（各ユーザーに適した）便座シートを使用することができる。よって、本発明によれば、従来のように一つの便座シートを複数人が使用する場合における衛生上の問題や他人が使用した後の便座シートを使用するときの嫌悪感の問題を回避することができる。
【００１６】
また、本発明において、前記便座のユーザーから見て前方の位置に載置台を配置し、この載置台を床面又はこれに近接した位置とそれより高い位置との間で昇降させるようにしたときは、ユーザーは、自分の両脚を自分の身長に合わせて適度な高さとすることができ、排便時に容易に腹圧をかけられる（和式の便器を使用しているのと同様の体勢を採ることができる）ようになる。
【００１７】
また、本発明において、前記背もたれ内の便座シート用空洞部に、便座シートを殺菌するための便座シート殺菌手段を備えるようにしたときは、ユーザーは、常に便座シートを衛生的な状態で使用できるようになる。
【００１８】
また、本発明において、前記背もたれ内の便座シート用空洞部に、便座シートを加温するための便座シート加温手段を備えるようにしたときは、ユーザーは、冬季などに便座シートを暖かい状態で使用できるようになる。
【００１９】
さらに、本発明において、前記背もたれ内の便座シート用空洞部に、便座シートの表面を清掃するための便座シート清掃手段を備えるようにしたときは、ユーザーは、常に便座シートを清潔な状態で使用できるようになる。
【発明を実施するための最良の形態】
【００２０】
本発明を実施するための最良の形態は以下の実施例２について述べるような形態である。
【実施例１】
【００２１】
図１は本発明の実施例１による背もたれ付き洋式便器装置の外観を示す斜視図である。図１（ａ）において、１は便器、２は前記便器１のユーザーが座る部分に備えられた便座、３は前記便座２の図示右側端部２ａに隣接して配置されたヒンジ部であって前記便器１を小便用に使用するときに前記便座２を持ち上げて図示右側方向に回動させるためのヒンジ部、４は前記便座２の後方に配置された水タンク、５は前記便座２と前記水タンク４との間に配置された背もたれ、５ａは前記背もたれ５の図示下端部のユーザー側（前記便座２の図示右側端部２ａと近接・対向する部分）に形成された便蓋用の出入口であって後述の便蓋が出し入れされるための出入口である。
【００２２】
前記の図１（ａ）においては、図示の便宜上、本実施例１に含まれる肘掛け及び昇降台（図２Ａなどに関して後述する）の図示を省略している。図１（ｂ）はこの肘掛けを示す図である。図１（ｂ）において、６は前記便器１及び便座２の両サイドにそれぞれ配置された肘掛け、６ａは前記肘掛け６をトイレの床面７から支持する支持部である。
【００２３】
次に、本実施例１に含まれる背もたれ及び便蓋の構成を、図２Ａ及び図２Ｂを参照して説明する。図２Ａ，図２Ｂにおいて、５ｂは前記背もたれ５の内部に形成された空洞部、１１は前記空洞部５ｂ内に収容されている便蓋、５ｃは前記空洞部５ｂ内の位置と前記便座２上の位置との間を往復移動する便蓋１１が前記出入り口５ａの近傍をスムーズに移動・通過できるように案内するための湾曲面が形成された案内部（湾曲面）、１２は前記便蓋１１の図示上端部１１ａにその一端が接続されたワイヤ（可動部）、１３は前記ワイヤ１２の他端が接続されておりモータ（図示せず）の回転により前記ワイヤ１２を巻き取るための又は前記モータの逆回転により巻き取り状態から前記ワイヤ１２を引き出すためのワイヤ巻取り部、１４は前記空洞部１１内の複数箇所に設置された殺菌用の紫外線ランプ、である。
【００２４】
また、図２Ａ、図２Ｂにおいて、１５はトイレの出入り口用のドアの近傍、例えばトイレ内の前記便座２の近傍に設置された赤外線センサなどから構成される人感センサ、１６はユーザーが本実施例１の諸機能を操作するためのリモコン（リモートコントローラ）、１７は前記人感センサ１５又は前記リモコン１６からの信号に基づいて前記ワイヤ巻取り部１３及び前記紫外線ランプ１４を制御するためのマイクロコンピュータなどで構成される制御部、である。
【００２５】
また、図３Ａは本実施例１の便蓋１１の一例を示す図で、図３Ａ（ａ）はその平面部、図３Ａ（ｂ）はその側面図である。前記便蓋１１はプラスチックやゴムなどの可とう性素材（柔軟な素材）により構成されており、図３Ａ（ｃ）に示すように、前記便座２と前記空洞部５ｂとの間を往復移動する方向（図２Ａ，図２Ｂの図示左右方向）に沿って折り曲げ・湾曲可能に形成されている。
【００２６】
したがって、図３Ａに示すような便蓋１１を使用するときは、図２Ａ及び図２Ｂに示すように前記便蓋１１が前記空洞部５ｂ内から前記出入り口５ａを通過して前記便座２上に移動するとき、前記便蓋１１は、前記出入り口５ａの近傍（前記案内部５ｃの湾曲面の上）で前記の図３Ａ（ｃ）に示すように自らが容易に湾曲するので、スムーズに前記移動を行える。
【００２７】
また、図３Ｂは本実施例１の便蓋１１の他の例を示す図で、図３Ｂ（ａ）はその平面部、図３Ｂ（ｂ）はその側面図である。この他の例では、前記便蓋１１は、図に示すような複数の図示横方向の細長い板１１ａと、前記各板１１ａの間を接続する軸１１ｂとから成る、簾（すだれ）状に形成されている。すなわち、前記軸１１ｂは、互いに隣接する前記板１１ａ同士を所定角度まで折り曲げ可能に接続している。よって、この他の例でも、前記便蓋１１は、図３Ｂに示すように前記便蓋１１が前記空洞部５ｂ内から前記出入り口５ａを通過して前記便座２上に移動するとき、前記便蓋１１は、前記出入り口５ａの近傍（前記案内部５ｃの湾曲面の上）で前記の図３Ｂ（ｃ）に示すように自らが容易に湾曲するので、スムーズに前記移動を行える。
【００２８】
次に、本実施例１における前記便蓋１１の動作を、図２Ａ及び図２Ｂを参照して説明する。本実施例１では、前記便蓋１１の動作方法に関して、前記人感センサ１５により自動的に移動させるか、それともユーザーの操作により移動させるかを、予めリモコン１６によりユーザーが設定しておく。ここでは、前記人感センサ１５により自動的に移動させるように予め設定しておいた場合の動作について説明する（なお、以下の説明において、「前記人感センサ１５からの検知信号の前記制御部１７への入力」を、「ユーザーのリモコン１６の操作による信号の前記制御部１７への入力」と置き換えても、基本的に同じ動作が行われる）。
【００２９】
まず、ユーザーが便器を使用していない場合は、図２Ａに示すように、前記便蓋１１は、前記便座２の上に配置された状態に保持されている。この状態においては、前記ワイヤ１２が前記ワイヤ巻取り部１３から引き出されており、前記ワイヤ１２の図示下端部が前記背もたれ５の出入口５ａの近傍の位置まで下降している。
【００３０】
次に、ユーザーが前記便器１を使用するためにドアを開けてトイレの中に侵入して前記便座２に近づくと、前記人感センサ１５がユーザーの存在を検知し、その検知信号が前記制御部１７に入力される。前記制御部１７は、この検知信号の入力を受けると、前記ワイヤ巻取り部１３のモータを制御して、前記ワイヤ１２を巻き取らせる。すると、前記便蓋１１は、前記の巻き取られるワイヤ１２により図示斜め上方に引っ張られて、前記便座２上の位置（図２Ａに示す状態）から、前記出入り口５ａを通過し、前記案内部（湾曲面）５ｃの上を自らが湾曲しながらスムーズに移動し、前記空洞部５ｂの方向へ移動する。その結果、前記便蓋１１は、図２Ｂに示すように前記空洞部５ｂ内に収容される。このように、図２Ｂに示す状態となると、前記便座２の上に便蓋１１が存在しないので、ユーザーは、前記便座２を使用することができる。
【００３１】
また、本実施例１では、図２Ｂに示すように、前記便蓋１１が前記空洞部５ｂ内に収容されているとき、前記制御部１７は、所定のタイミングで前記紫外線ランプ１４を所定時間だけ点灯させ、前記空洞部５ｂ内の前記便蓋１１の表面を殺菌する。
【００３２】
次に、ユーザーによる前記便座２の使用が終了してユーザーが前記便座２から離れると、前記人感センサ１５がそれを検知し、その検知信号を前記制御部１７に出力する。前記制御部１７は、この検知信号の入力を受けると、前記ワイヤ巻取り部１３のモータを制御して、前記ワイヤ１２を現在の巻き取り状態から反対に引き出させる。すると、前記便蓋１１は、前記引き出されるワイヤ１２により図示斜め下方に押し出されて（図２Ａの矢印α参照）、前記空洞部５ｂ内の位置（図２Ｂに示す状態）から、前記案内部５ｃ（湾曲面）の上を自らが湾曲しながらスムーズに移動し、前記出入り口５ａを通過し、前記便座２の方向へ移動する。その結果、前記便蓋１１は、図２Ａに示すように前記便座２上に配置される。
【００３３】
次に、本実施例１に含まれる昇降台の構成を、図２Ａ及び図２Ｂを参照して説明する。図２Ａ、図２Ｂにおいて、２１はユーザーの両脚を載せたままユーザーの両脚の高さ位置を調整するための昇降台、２２は前記床面７の凹部内に設置された基部、２３は前記基部２２の上に固定されており外壁面の断面が略蛇腹状に形成されているエアバック、２４は前記エアバック２３の上に固定された載置部（ユーザーの両脚を載せる部分で、その平面は、ユーザーから見て横長の長方形状に形成されている）、２５は前記エアバック２３にチューブ２６を介して圧縮空気を供給するためのエアポンプ、である。本実施例１では、前記基部２２、前記エアバック２３、前記載置部２４、前記エアポンプ２５、及び前記チューブ２６により、前記昇降台２１が構成されている。
【００３４】
次に、前記昇降台２１の動作を、図２Ａ及び図２Ｂを参照して説明する。前記昇降台２１は、通常は、図２Ａに示す状態に保持されている。この場合は、前記載置台２４の平面は、トイレの床面７とほとんど段差がない略同一平面上に保たれている。前記便器１及び便座２を使用しようとするユーザーが子供や身長の低い人である場合、排便時に腹圧を容易に掛けやすくするために、その両脚の下端部を少し上方に上げたいと希望することがある。そこで、本実施例１では、このようなときに、ユーザーが前記リモコン１６を操作することにより、前記のユーザーが両脚を置いた前記載置台２４を図示上方に所定距離（ユーザーの任意の距離）だけ上昇させることができるようにしている。
【００３５】
すなわち、本実施例１では、前記の図２Ａに示す状態から、ユーザーが前記リモコン１６を操作して前記載置台２４の上昇を指令すると、前記制御部１７が前記エアポンプを作動させる。すると、前記エアポンプ２５は吸気動作により圧縮空気を作り、これを前記チューブ２６を介して前記エアバック２３に供給し、エアバック２４を所定の体積まで膨張させる。これにより、前記載置台２４は、図２Ｂに示すように所定距離だけ上昇する。よって、ユーザーは、前記の上昇した載置台２４の上に両脚を置くことにより、排便時に腹圧を容易に掛けやすい体勢（和式の便器を使用しているのと同様の体勢）を採ることができる。なお、このとき、ユーザーは、前記リモコン１６を操作することにより、前記エアバック２４の膨張度合いを任意に調整して、前記載置台２４の上昇距離を任意に調整することができる。次に、排便が終了したら、ユーザーが前記リモコン１６を操作して前記載置台２４の下降を指令する。すると、前記制御部１７が前記エアポンプ２５を制御して、前記エアポンプ２５を開放状態とさせて、前記エアバック２３から圧縮空気を排出させて前記エアバック２３の体積を収縮させる。これにより、前記載置台２４は、図２Ａに示すように、元の床面７と略同一の高さまで下降する。
【００３６】
次に、本実施例１において使用される便座シートの構成と動作を図４Ａを参照して説明する。図４Ａは、本実施例１において、前記便座２の上に配置される便座シートの動作を概念的に示す図である。なお、図４Ａにおいては、前述の図１（ａ）におけると同様に、肘掛けの図示を、図示の便宜上から省略している。図４Ａに示すように、本実施例１においては、前記便座２の図示左奥側の略半分の上面に、これと対応する形状である略三日月形状の便座シート３１ａが、配置されている。また、前記便座２の図示右手前側の略半分の上面に、これと対応する形状である略三日月形状の便座シート３１ｂが、配置されている。本実施例１では、前記の２つの左右対称の略三日月状の便座シート３１ａ及び３１ｂが、それぞれ前記便座２上の略半分の上を覆うように配置される。これにより、前記便座２の上面の略全体が前記２つの便座シート３１ａ及び３１ｂにより覆われ、前記便座２を使用するユーザーの臀部が前記便座シート３１ａ，３１ｂ上に接触する。また、本実施例１において、前記便座シート３１ａ，３１ｂは、ユーザーの使い心地が良いように、少なくとも表面側は柔軟な部材により形成され、ある程度の厚み（例えば約２ｍｍ以上の厚み、又は約２ｍｍ〜約５ｍｍの厚み）を有するように構成されている。
【００３７】
また、本実施例１では、図４Ａに示すように、図示左側の便座シート３１ａの略中央の図示左側の端部３１ａ１にワイヤ２９が、また、図示右側の便座シート３１ｂの略中央の図示右側の端部３１ｂ１にワイヤ２９が、それぞれ接続されている。詳しくは後述するが、これらの各便座シート３１ａ，３１ｂは、それぞれ前記ワイヤ２９により押されるか又は引っ張られることにより、前記肘掛け６内から前記便座２上へ又は前記便座２上から前記肘掛け６内へ、移動（出し入れ）されるようになっている。図４Ｂは、このような動作の一部を示す概念図で、前記便座シート３１ａが前記ワイヤ２９に支持されて（押されて）、前記背もたれ６の内部から出入口３３を介して排出され、前記便座２の図示左半分の上に向かって移動しているときの状態を示すものである。
【００３８】
次に、本実施例１に含まれる肘掛け６（図１（ｂ）参照）の内部構造及び動作を図５Ａ及び図５Ｂを参照して説明する。本実施例１においては、図１（ｂ）に示すように、前記便座２の両サイドにそれぞれ肘掛け６が配置されているが、これから説明する図５Ａ及び図５Ｂにおいては、便宜上、図１（ｂ）の図示左側の肘掛け６のみを示し、同右側の肘掛け６については図示を省略している。
【００３９】
図５Ａ及び図５Ｂにおいて、６は前記便座２の図示左側に隣接するように配置された例えばプラスチック製の肘掛け、６ａは前記肘掛け６をトイレの床面７から支持するための支持部である。また、３２は前記肘掛け６の内部に形成され前記便座シート３１ａを収容可能な空洞部、である。また、３３は、前記空洞部３２内と前記便座２上の位置との間で前記便座シート３１ａを往復移動させるために、前記肘掛け６の外壁部の前記便座２の図示左側端部２ｂと対向する部分に形成された出入口（前記空洞部３２と外部との間の出入口）、である。
【００４０】
また、図５Ａ及び図５Ｂにおいて、３４ａ，３４ｂは前記便座シート３１ａが前記空洞部３２内と前記便座２上との間をスムーズに移動できるように案内するための案内部、である。前記案内部３４ａ，３４ｂは、前記便座シート３１ａ対向する薄い板により形成され、図示下方部分（前記出入り口３３の近傍の部分）が湾曲面となっている。前記２つの案内部３４ａ，３４ｂは、互いに平行に配置され、その間を前記便座シート３１ａが移動可能となっている。
【００４１】
また、図５Ａ及び図５Ｂにおいて、２９は前記便座シート３１ａの前記図示左側端部３１ａ１に接続されたワイヤ、３０は前記ワイヤ２９をモータにより自らに巻き取るか又はモータを逆回転させて巻き取られた状態のワイヤを引き出すためのワイヤ巻取り部、である。前記ワイヤ巻取り部３０は、前記空洞部３２の図示上方に配置されている。
【００４２】
また、図５Ａ及び図５Ｂにおいて、３５ａ，３５ｂは前記案内部３４ａ，３４ｂの内側の面（前記便座シート３１ａと対向する面）に設けられた面状ヒータ、である。前記面状ヒータ３５ａ，３５ｂは、特に冬季において、前記空洞部３２内に収容されている前記便座シート３１ａを例えば人体と同様の温度まで加温するために使用されるものである。
【００４３】
また、図５Ａ及び図５Ｂにおいて、３６ａ，３６ｂは、前記空洞部３２内の前記案内部３４ａ，３４ｂの上方の位置に設けられた紫外線ランプ、である。前記紫外線ランプ３６ａ，３６ｂは、前記空洞部３２内に収容されている前記便座シート３１ａを殺菌するために使用されるものである。
【００４４】
また、図５Ａ及び図５Ｂにおいて、３７ａ，３７ｂは、前記案内部３４ａ，３４ｂの前記出入り口３３近傍の端部に設けられた清掃ローラ、である。前記清掃ローラ３７ａ，３７ｂは、前記清掃ローラ３７ａと前記清掃ローラ３７ｂとの間を通過する前記便座シート３１ａの表面をローラで擦って前記表面の異物を除去して、前記便座シート３１ａを清掃するために使用されるものである。
【００４５】
すなわち、前記清掃ローラ３７ａは、前記案内部３４ａの下部の前記出入り口３３の近傍の前記便座シート３１ａと対向する面に配置されている。また、前記清掃ローラ３７ｂは、前記案内部３４ｂの前記出入り口３３の近傍の前記便座シート３１ａと対向する面に配置されている。これらの清掃ローラ３７ａ，３７ｂは互いに対向・近接して配置され、それらの表面には多数の微小なブラシが植設されている。よって、前記便座シート３１ａが前記出入り口３３の近傍を通過し、これらの清掃ローラ３７ａ及び３７ｂの間を通過するとき、前記便座シート３１ａの両表面は、これらの清掃ローラ３７ａ，３７ｂによって擦られて、表面の異物が除去され、清掃され清潔になる。なお、図５Ａ及び図５Ｂにおいては、前記便座シート３１ａの清掃手段として前記の多数のブラシが植設された清掃ローラ３７ａ，３７ｂのみを図示しているが、本実施例１では、前記の多数のブラシが植設された清掃ローラ３７ａ，３７ｂの横に、例えばフェルト布などの摩擦係数の大きい布を貼着した清掃ローラを並列させるようにしてもよい。このようにした場合は、前記便座シート３１ａの表面の微小な異物がより確実に除去されるようになる。
【００４６】
次に、本実施例１における前記ワイヤ２９及び前記ワイヤ巻取り部３０による前記便座シート３１ａの移動動作を、図５Ａ及び図５Ｂを参照して説明する。本実施例１では、前記便座シート３１ａの移動方法に関して、前記人感センサ１５により自動的に移動させるか、それともユーザーの操作により移動させるかを、予めリモコン１６によりユーザーが設定しておく。ここでは、前記人感センサ１５により自動的に移動させる場合について説明する（なお、以下の説明において、「前記人感センサ１５からの検知信号の前記制御部１７への入力」を、「ユーザーのリモコン１６の操作による信号の前記制御部１７への入力」と置き換えても、基本的に同じ動作が行われる）。
【００４７】
まず、ユーザーが便器を使用していない場合は、図５Ａに示すように、前記便座シート３１ａは、前記肘掛け６の空洞部３２内に収容された状態に保持されている。この状態においては、前記ワイヤ２９が前記ワイヤ巻取り部３０に巻き取られて、前記ワイヤ３０の図示下端部が前記ワイヤ巻取り部３０の近傍の位置まで上昇している。
【００４８】
次に、ユーザーが前記便器１を使用するためにドアを開けてトイレの中に侵入して前記便座２に近づくと、前記人感センサ１５がユーザーの存在を検知し、その検知信号が前記制御部１７に入力される。前記制御部１７は、この入力を受けると、前記ワイヤ巻取り部１３のモータを制御して、前記ワイヤ２９を巻き取り状態から逆転させて引き出させる。すると、前記便座シート３１ａは、前記の引き出されたワイヤ２９により図示斜め下方に押し出されて（図５Ａの矢印α参照）、前記案内部３４ａ，３４ｂの湾曲面に沿って自らが湾曲しながらスムーズに移動し、前記出入り口３３を通過し、前記便座２の左半分の方へ移動する。その結果、前記便座シート３１ａは、図５Ｂに示すように、前記便座２の左半分の上に移動する。そして、前記便座シート３１ａが前記便座２の上に配置され、図５Ｂに示す状態となるとなる（同様に、前記便座シート３１ｂが前記便座２の右半分の上に配置される）ので、ユーザーは、前記便座シート３１ａが使用することができる。
【００４９】
次に、ユーザーによる前記便座２の使用が終了してユーザーが前記便座２から離れると、前記人感センサ１５がそれを検知し、その検知信号が前記制御部１７に入力される。前記制御部１７は、この検知信号の入力を受けると、前記ワイヤ巻取り部３０のモータを制御して、前記ワイヤ２９を巻き取る。すると、前記便座シート３１ａは、前記巻き取られるワイヤ２９により図示斜め上方に引っ張られて（図５Ｂの矢印β参照）、前記便座２の左半分の上の位置（図５Ｂに示す状態）から、前記出入り口３３を通過し、前記案内部３４ａ，３４ｂの各湾曲面の間を自らが湾曲しながらスムーズに通過し、前記空洞部３２内の方向へ移動する。その結果、前記便座シート３１ａは、図５Ａに示すように前記空洞部３２内に収容される。
【００５０】
なお、本実施例１では、前述のように、前記便座シート３１ａが前記便座２の左半分の上から前記空洞部３２内へ移動する動作の途中で、前記便座シート３１ａが前記案内部３４ａ，３４ｂの間を通過するとき、前記清掃ローラ３７ａ，３７ｂにより、前記便座シート３１ａの両表面が清掃される。また、前記便座シート３１ａが前記空洞部３２内に収容されたときは、所定の時間だけ、前記制御部１７により前記紫外線ランプ３６ａ，３６ｂが点灯されて、前記便座シート３１ａが殺菌される。また、前記便座シート３１ａが前記空洞部３２内に収容されたときは、特に冬季において、常時、前記制御部１７により前記ヒータ３５ａ，３５ｂが作動されて、前記便座シート３１ａが加温されるようになっている。よって、本実施例１では、前記便座シート３１ａが前記空洞部３２内から前記ワイヤ２９に押し出されて前記便座２上に移動するときは、前記便座シート３１ａは、清掃され、殺菌され、且つ加温された状態のものとなっている。
【００５１】
また、図６Ａは本実施例１の便座シート３１ａの一例を示す図で、図６Ａ（ａ）はその平面部、図６Ａ（ｂ）はそのＡ−Ａ’線断面図である。前記便座シート３１ａはプラスチックやゴムなどの可とう性素材により構成されており、図６Ａ（ｃ）に示すように、前記便座２の左半分と前記空洞部３２との間を往復移動する方向（図５Ａ，図５Ｂの図示左右方向）に沿って折り曲げ・湾曲可能に形成されている。
【００５２】
したがって、図６Ａに示すような便座シート３１ａを使用するときは、図５Ａ及び図５Ｂに示すように前記便座シート３１ａが前記空洞部３２内から前記出入り口３３を通過して前記便座２の左半分の上に移動するとき、前記出入り口３３の近傍で前記の図６Ａ（ｃ）に示すように自らが湾曲可能となっているので、前記便座シート３１ａはスムーズに前記移動を行える。
【００５３】
また、図６Ｂは本実施例１の便座シート３１ａの他の例を示す図で、図６Ｂ（ａ）はその平面部、図６Ｂ（ｂ）はそのＡ−Ａ’線断面図である。この他の例では、前記便座シート３１ａは、図に示すような複数の図示縦方向の細長い板３１ａａと、前記各板３１ａａの間を接続する軸３１ａｂとから成る、簾（すだれ）状に形成されている。すなわち、前記軸３１ａｂは、互いに隣接する前記板３１ａａ同士を所定角度まで折り曲げ可能に接続している。よって、この他の例でも、前記便座シート３１ａは、図５Ａ及び図５Ｂに示すように前記便座シート３１ａが前記空洞部３２内から前記出入り口３３を通過して前記便座２の左半分の上に移動するとき、前記出入り口３３の近傍で前記の図６Ｂ（ｃ）に示すように自らが湾曲可能となっているので、前記便座シート３１ａはスムーズに前記移動を行える。
【実施例２】
【００５４】
次に、本発明の実施例２による背もたれを利用した便座シート供給装置を図７Ａ及び図７Ｂを参照して説明する。本実施例２は、前記の実施例１の構成と基本的に同一であるので、以下では、前記の実施例１と異なる部分だけを説明する。また、図７Ａ及び図７Ｂにおいて、図２Ａ及び図２Ｂと共通する部分には同一の符号を付して説明を省略する。
【００５５】
図７Ａ，図７Ｂにおいて、４１は前記背もたれ５内の空洞部５ｂ内に配置された仕切り案内板、４２は前記空洞部５ｂ内に収容された便座シート、４３は前記便座シート４２の図７Ａの図示上端部にその一端が接続されたワイヤ、４４は前記ワイヤ４３の他端が接続され前記ワイヤ４３を内蔵のモータ（図示せず）で巻き取るか又は巻き取られたワイヤ４３を逆回転させて引き出すためのワイヤ巻取り部、４５は前記空洞部５ｂの内壁面の前記便座シート４２と対向する複数箇所に配置された殺菌用の紫外線ランプ、４６は前記仕切り案内板４１の前記便座シート４２と対向する面に配置され前記便座シート４２を加温するための面状のヒータ、４７は前記仕切り案内板４１の図示下端部とこれに対向する前記空洞部５ｂの下面にそれぞれ設けられ前記便座シート４２の両表面を擦ってそれらの異物を除去することにより、前記便座シート４２を清掃するための清掃ローラ、である。
【００５６】
図７Ａ，図７Ｂにおいて、前記仕切り案内板４１は、前記便蓋１１と前記便座シート４２の間を仕切るために、それらに対向するように配置されている。また、前記仕切り案内板４１は、前記便蓋１１と前記便座シート４２のそれぞれの移動がスムーズに行えるように案内するため、その図示下方の部分４１ａが湾曲面状に形成されている。
【００５７】
また、図７Ａ，図７Ｂにおいて、前記ワイヤ４３は、前記ワイヤ巻取り部４４に巻き取られた状態から逆回転により引き出されることにより、前記便座シート４２を前記空洞部５ｂ内から前記便座２上の位置へと移動させる（図７Ａの矢印α参照）。他方、前記ワイヤ４３は、前記ワイヤ巻取り部４４に内蔵のモータで巻き取られることにより、前記便座シート４２を前記便座２上の位置から前記空洞部５ｂ内へと移動させる（図７Ｂの矢印β参照）。
【００５８】
なお、本実施例２の前記便座シート４２は、その平面形状が、前記便座２の略全体を覆うような略ドーナツ形状に形成されている。また、前記便座シート４２は、図３Ａ及び図３Ｂに基づいて説明した前記便蓋１１と同様の素材により形成され、前記便座２と前記空洞部５ｂとの間を往復移動する方向（図７Ａ，図７Ｂの図示左右方向）に沿って折り曲げ・湾曲可能に、構成されている。したがって、本実施例２においては、前記便蓋１１のみでなく、前記便座シート４２も、前記空洞部５ｂ内から前記出入り口５ａを通過して前記便座２上に移動する途中において、又はその逆に前記便座２上から前記出入り口５ａを通過して前記空洞部５ｂ内に移動する途中において、前記出入り口５ａの近傍の前記湾曲面５ｃの上方を移動するとき、前記の図３Ａ（ｃ）又は図３Ｂ（ｃ）に示すように自らが容易に湾曲するので、前記移動をスムーズに行えるようになっている。
【００５９】
次に、本実施例２における前記便蓋１１及び便座シート４２の動作を、図７Ａ及び図７Ｂを参照して説明する。本実施例２では、前記便蓋１１及び前記便座シート４２の動作方法に関して、前記人感センサ１５により自動的に移動させるか、それともユーザーの操作により移動させるかを、予めリモコン１６によりユーザーが設定しておく。ここでは、前記人感センサ１５により自動的に移動させるように予め設定しておいた場合について説明する（なお、以下の説明において、「前記人感センサ１５からの検知信号の前記制御部１７への入力」を、「ユーザーのリモコン１６の操作による信号の前記制御部１７への入力」と置き換えても、基本的に同じ動作が行われる）。
【００６０】
まず、ユーザーが便器を使用していない場合は、図７Ａに示すように、前記便蓋１１は前記便座２の上に配置された状態に、且つ、前記便座シート４２は前記空洞部５ｂ内に収容された状態に、保持されている。この状態においては、前記便蓋１１に接続されたワイヤ１２の大部分が前記ワイヤ巻取り部１３から引き出されおり、前記ワイヤ１２の図示下端部が前記背もたれ５の出入口５ａの外側又はその近傍の位置まで下降している。また、この状態においては、前記便座シート４２に接続されたワイヤ４３の大部分が前記ワイヤ巻取り部４４に巻き取られており、前記ワイヤ４３の図示下端部が前記ワイヤ巻取り部４４の近傍の位置まで上昇している。
【００６１】
次に、ユーザーが前記便器１を使用するためにドアを開けてトイレの中に侵入して前記便座２に近づくと、前記人感センサ１５がユーザーの存在を検知し、その検知信号が前記制御部１７に入力される。前記制御部１７は、この検知信号の入力を受けると、前記ワイヤ巻取り部１３のモータを制御して、前記の便蓋１１に接続されたワイヤ１２を巻き取らせる。すると、前記便蓋１１は、前記の巻き取られるワイヤ１２により図示斜め上方に引っ張られて、前記便座２上の位置（図７Ａに示す状態）から、前記出入り口５ａを通過し、前記仕切り案内板４１の湾曲面４１ａの上を自らが湾曲しながらスムーズに通過し、前記空洞部５ｂの方向へ移動する。その結果、前記便蓋１１は、図７Ｂに示すように前記空洞部５ｂ内に収容される。その後、さらに、前記制御部１７は、前記ワイヤ巻取り部４４のモータを制御して、前記の便座シート４２に接続されたワイヤ４３を巻き取られた状態から逆回転させて引き出す。すると、前記便座シート４２は、前記の引き出されたワイヤ４３により図示下方に押し出されて（図７Ａの矢印α参照）、前記空洞部５ｂ内の位置（図７Ａに示す状態）から、前記案内部（湾曲面）５ｃの上を自らが湾曲しながらスムーズに通過し、前記出入り口５ａを通過して、前記便座２の方向へ移動する。その結果、前記便座シート４２は、図７Ｂに示すように前記便座２上に配置される。このようにして、図７Ｂに示す状態に移行すると、前記便座２の上から前記便蓋１１が存在しなくなると共に、前記便座２の上に前記便座シート４２が配置された状態となるので、ユーザーは、前記便座２及び便座シート４２を使用することができる。
【００６２】
また、本実施例２においては、図７Ａに示すように前記便座シート４２が前記空洞部５ｂ内に収容されているときは、前記制御部１７の制御により、前記紫外線ランプ４５が所定のタイミングで所定時間だけ点灯されるので、前記便座シート４２が殺菌消毒される。また、このときは、前記制御部１７の制御により、前記ヒーター４６が所定のタイミングで所定時間だけ通電されるので、前記便座シート４２が加温される。さらに、前記便座シート４２が前記図７Ａに示すような前記空洞部５ｂ内に収容された状態から前記便座２上に移動するために前記案内部（湾曲面）５ｃの上を出入り口５ａ方向に移動するとき、前記清掃ローラ４７により前記便座シート４２の表面が清掃される。以上により、本実施例２では、前記便座シート４２が前記空洞部５ｂから前記便座２上に移動するときは、前記紫外線ランプ４５により殺菌され、前記ヒーター４６により加温され、且つ前記清掃ローラ４７により清掃された状態の便座シート４２が、ユーザー側に供給される。なお、本実施例２では、前記清掃ローラ４７による前記便座シート４２の両表面の清掃は、前記の前記便座シート４２が図７Ａに示すような空洞部５ｂ内に収容されている状態から前記便座２上に移動するために前記案内部（湾曲面）５ｃの上を移動するときだけでなく、前記便座シート４２が図７Ｂに示すような便座２上に配置されている状態から空洞部５ｂ内に収容されるために前記案内部（湾曲面）５ｃの上を移動するときにも、同様に行われる。
【００６３】
次に、前記の図７Ｂの状態において、ユーザーによる前記便座２の使用が終了してユーザーが前記便座２から離れると、前記人感センサ１５がそれを検知し、その検知信号が前記制御部１７に入力される。前記制御部１７は、この検知信号の入力を受けると、前記ワイヤ巻取り部４４のモータを制御して、前記ワイヤ４３を巻き取る。すると、前記便座シート４２は、前記巻き取られるワイヤ４３により図示斜め上方に引っ張られて（図７Ｂの矢印β参照）、前記便座２上の位置（図７Ｂに示す状態）から、前記出入り口５ａを通過して、前記仕切り案内板４１と前記空洞部５ｂの底部の湾曲面５ｃとの間を自らが湾曲しながらスムーズに通過し、前記空洞部５ｂ内を上昇する。その結果、前記便座シート４２は、前記７Ａに示すように前記空洞部５ｂ内に収容される。また、このとき、前記便座２の上には、前記便座シート４２が存在しない状態となる。
【００６４】
その後、さらに、前記制御部１７は、前記ワイヤ巻取り部１３のモータを制御して、前記ワイヤ１２を巻き取り状態から反対に引き出させる。すると、前記便蓋１１は、図７Ｂに示す状態から、前記引き出されるワイヤ１２により図示斜め下方に押し出されて、前記空洞部５ｂ内の位置（図７Ｂに示す状態）から、前記仕切り案内板４１の湾曲面４１ａの上を自らが湾曲しながらスムーズに移動し、前記出入り口５ａを通過し、前記便座２の方向へ移動する。その結果、前記便蓋１１は、図７Ａに示すように前記便座２上に配置される。
【実施例３】
【００６５】
次に、本発明の実施例３による背もたれを利用した便座シート供給装置を説明する。本実施例３は、前記の実施例２の構成と基本的に同一であるので、以下では、前記の実施例２と異なる部分だけを説明する。本実施例３では、便座の後方に配置された背もたれの内部に便座シート用空洞部を形成している。この便座シート用空洞部には、少なくとも前記背もたれから前記便座に向かう方向又は前記便座から前記背もたれに向かう方向に沿って湾曲可能に形成されている複数の便座シートが収容されている。便座シート移動部は、前記複数の便座シートの中のいずれか一つを前記便座上の位置と前記便座シート用空洞部内の位置との間で往復移動させる。制御部は、ユーザーによる便座の使用が開始されるときは前記複数の便座シートの中のいずれか一つを前記便座シート用空洞部内の位置から前記便座上の位置に移動させると共に、ユーザーによる便座の使用が終了したときは前記便座シートを前記便座上の位置から前記便座シート用空洞部内の位置へ移動させるように、前記便座シート移動部を制御する。また、本実施例３では、前記複数の便座シートは、それぞれ、複数のユーザーのそれぞれが選択的に使用するように構成されている。制御部が内蔵する記録装置（メモリ）は、前記背もたれ内の便座シート用空洞部内における前記各便座シートの収容位置を前記各ユーザーの識別情報とそれぞれ対応させて記録しておく。ユーザー情報取得部は、前記各ユーザーを識別するための情報を取得する。前記制御部は、前記ユーザー情報取得部からのユーザー識別情報と前記記録装置（メモリ）からの便座シートの収容位置情報とに基づいて、前記便座シート移動部を制御する。前記便座シート移動部は、前記制御部からの情報に基づいて、前記背もたれ内の便座シート用空洞部内の複数の便座シートの中からいずれか一つの便座シートを選択的に移動させる。
【００６６】
本実施例３は、複数の便座シートを収容しておくための便座シート用空洞部５ｂ、前記便座シート用空洞部５ｂ内の複数の便座シートのいずれか一つを選択的に取り出して便座シート用空洞部５ｂ外に排出して便座２上に移動するための便座シート移動部（図７Ａの４３，４４など参照）、とを含む。前記便座シート移動部は、モーターとこのモーターからの動力を前記複数の便座シートの中のどれを移動するために使用するかを選択するためのスイッチなどにより構成されている。
【００６７】
また、本実施例３は、前記便座シート用空洞部５ｂに内蔵され前記複数の便座シートを殺菌及び／又は消臭するための殺菌消臭部４５、前記便座シート用空洞部５ｂに内蔵され冬季に（ユーザーの操作により）前記複数の便座シートを例えば３５−３８℃程度に加温するためのヒーター４６、などを含む。
【００６８】
また、本実施例３は、前記便座シート移動部（図７Ａの４３，４４など参照）、前記殺菌消臭部４５、及び前記ヒーター４６を制御するためのマイクロコンピュータなどで構成された制御部１７、前記制御部１７にユーザーからの操作情報を入力するための例えばリモートコントローラなどから成る操作部１６、トイレのドアの外側の面などに設置され、トイレを使用しようとする各ユーザーを識別するための識別情報を取得して前記制御部１７に送信するためのユーザー情報取得部、などを含む。
【００６９】
ここで、前記ユーザー情報取得部について説明する。ユーザー情報取得部は、例えば、トイレのドアの外側に配置されている。このユーザー情報取得部は、例えば、５人家族の場合には、前記の計５個の便座シートにそれぞれ対応する各メンバー（ユーザー）が自分を特定できるボタンを備えた入力装置により構成される。例えば、各ユーザーが、トイレのドアを開ける前に、前記入力装置の自分を特定するボタンを押すと、この入力装置からの信号が前記制御部１７に無線で送信される。これを受信した前記制御部１７は、該当ユーザーに対応する便座シートを便座２の方向に押し出すように、前記便座シート移動部を制御する。よって、この場合は、ユーザーがドアの外で前記ボタンを押すだけで、自動的に前記便座シート移動部が作動するので、ユーザーがトイレの中に入ったときは既に便座２の上に自分専用の便座シートが配置された状態となる。なお、本実施例３において、前記ユーザー情報取得部は、前述のようなボタン式のものに限らず、様々な方式のものを採用できる。例えば、予めユーザーの顔画像、指紋情報、声紋情報などの様々な生体情報を記録した記憶装置とＣＣＤカメラやマイクを備えておき、ユーザーがトイレのドアの前に立つときユーザーの顔画像、指紋情報、声紋情報などの様々な生体情報を認識してそれを記録装置に登録した生体情報と照合してユーザーを特定し、これにより特定したユーザーの識別情報を前記制御部１７に無線で送信するようにしてもよい。
【００７０】
次に、本実施例３において、前記制御部１７は、記録装置（メモリ）を内蔵しており、この記録装置には、前記便座シート用空洞部５ｂに収容されている各便座シート（例えば計５個）をそれぞれ各ユーザー（例えば５人）の識別情報、及び各便座シートの前記便座シート用空洞部５ｂ内での収容位置情報と対応させて記録しておくようにしている。また、前記便座シート移動部（図７Ａの４３，４４など参照）は、前記便座シート用空洞部５ｂ内の複数の便座シートの中からいずれか一つの便座シートを選択的に移動できるように構成されている。例えば、前記便座シート移動部（図７Ａの４３，４４など参照）は、各便座シートの前記便座シート用空洞部５ｂ内の収容位置を記憶しておき、前記制御部１７の信号（各便座シートの収容位置の情報を含む）に基づいて、いずれか一つの便座シートを選択的に取り出して便座２の上に移動できるように構成されている。以上より、前記制御部１７は、前記ユーザー情報入力部からのユーザー識別情報を受信すると、内蔵する記録装置（メモリ）からその識別情報に対応するユーザーに対応する一つの便座シートの収容位置の情報を取得して、「この収容位置にある便座シートを取り出して便座の上に移動せよ」との制御信号を、前記便座シート移動部（図７Ａの４３，４４など参照）に送信する。前記便座シート移動部はこの制御信号に基づいて、前記のユーザーに対応する特定の一枚の便座シートを取り出して、それを便座２の上に移動させる。
【００７１】
以上、本発明の各実施例について説明したが、本発明及び本発明を構成する各構成要件は、それぞれ、前記の実施例及び前記の実施例を構成する各要素として述べたものに限定されるものではなく、様々な修正及び変更が可能である。例えば、前記の各実施例１，２においては、前記背もたれ５は前記便器１に固定したものを示したが、本発明では、前記便器１とは別体のもの（前記便器１の外側に後から外付けできるもの）として構成してもよい。また、前記の各実施例１，２においては、前記背もたれ５は前記タンク４に固定したものを例示したが、本発明では、前記タンクとは別体のものとして構成してもよい。
【００７２】
また、前記の各実施例２では、前記便蓋１１を前記背もたれ５内の空洞部５ｂと前記便座２上との間で移動させるための構成として、前記ワイヤ１２及びワイヤ巻取り部１３を例示した（図２Ａ，図２Ｂ参照）が、本発明ではこれに限られるものではなく、前記便蓋１１を前記空洞部５ｂと前記便座２上との間で移動させるための構成として、例えばリニアモーターなどを使用するようにしてもよい。
【００７３】
また、前記の実施例１では、前記略三日月形状の便座シート３１ａ，３１ｂを前記肘掛け６内の空洞部３２と前記便座２上との間で移動させるための構成として、前記ワイヤ２９及びワイヤ巻取り部３０を例示した（図５Ａ，図５Ｂ参照）が、本発明ではこれに限られるものではなく、前記便座シート３１ａ，３１ｂを前記空洞部３２と前記便座２上との間で移動させるための構成として、例えばリニアモーターなどを使用するようにしてもよい。
【００７４】
また、前記の実施例２では、前記略ドーナツ形状の便座シート４１を前記背もたれ５内の空洞部５ｂと前記便座２上との間で移動させるための構成として、前記ワイヤ４３及びワイヤ巻取り部４４を例示した（図７Ａ，図７Ｂ参照）が、本発明ではこれに限られるものではなく、前記便座シート４１を前記空洞部５ｂと前記便座２上との間で移動させるための構成として、例えばリニアモーターなどを使用するようにしてもよい。
【００７５】
また、前記の各実施例１，２においては、前記昇降台２１の載置部２４を昇降するための構成として、エアポンプ２５及びエアバック２３を例示した（図２Ａ，図２Ｂ参照）が、本発明ではこれに限られるものではなく、前記昇降台２１の載置部２４を昇降するための構成として、例えばモータなどを使用するようにしてもよい。
【００７６】
また、前記の各実施例１，２においては、前記便蓋１１及び前記便座シート３１ａ，３１ｂ，４２を殺菌するための構成として、紫外線ランプ１４，３６ａ，３６ｂ，４５を例示したが、本発明ではこれに限られるものではなく、前記便蓋１１及び前記便座シート３１ａ，３１ｂ，４２を殺菌するための構成として、例えば消毒用の液体又は粉末を前記便蓋１１及び前記便座シート３１ａ，３１ｂ，４２に対してスプレー・散布する機器を使用してもよい。
【００７７】
また、本発明においては、前記便座シート３１ａ，３１ｂ，４２を、例えば「プラスチック製やシリコンゴム製で形成された便座シートの外表面にタオル地などの布を巻いたもの」により構成するようにしてもよい。
【００７８】
また、前記の実施例２においては、前記便蓋１１と前記便座シート４２とを、前記背もたれ５内の一つの空洞部５ｂの中に一緒に収納するようにしているが、本発明では、前記背もたれ５内に２つの空洞部を別々に形成し、それらの各空洞部の中にそれぞれ前記便蓋１１と前記便座シート４２とを別々に収納するようにしてもよい。
【００７９】
また、前記実施例１，２においては、前記昇降台２１は、トイレの床面７に形成された凹部の中に入れることにより前記載置台２４の上面を前記床面７と一致させて段差が生じないようにしているが、本発明はこれに限られるものではなく、例えば、前記昇降台２１を前記床面７の上に置くようにしてもよい。なお、このようにした場合は、前記載置台２４と前記床面７との間に段差が生じてしまうが、前記載置台２４の上とその周囲に例えばマットなどを被せるようにすれば、前記段差によりユーザーが躓いてしまうことなどは防止できる。
【００８０】
さらに、前記実施例２においては、前記背もたれ５内の空洞部５ｂの中に前記便蓋１１と前記便座シート４２との両者を一緒に収容するようにし、ユーザーによる便器１の使用の開始と終了に合わせて、前記便蓋１１と前記便座シート４２とを交互に、前記便座２上か前記空洞部５ｂ内かのいずれかに移動させるようにしている。しかし、本発明では、これに限られることなく、例えば、前記背もたれ５内の空洞部５ｂの中には、前記便座シート４２のみを収容させ、前記便座シート４２のみを前記便座２上の位置と前記背もたれ５内の空洞部５ｂ内の位置との間で往復移動させるようにしてもよい。また、このようにした場合、前記ユーザーによる便器１の不使用時に前記便座２の上に配置されている便蓋１１を、ユーザーによる便器の使用開始時には、例えば前記便座２の側面側（ユーザーから見て左右方向）に倒れるように回動して開くようにすれば、前記便蓋１１がユーザーの背中に接触することを防止できる。
【図面の簡単な説明】
【００８１】
【図１】（ａ）は本発明の実施例１による背もたれを利用した便座シート供給装置の外観を示す斜視図、（ｂ）はその正面図。
【図２Ａ】本実施例１の主として背もたれ部分及び昇降台の構成及び動作を説明するための図。
【図２Ｂ】本実施例１の主として背もたれ部分及び昇降台の構成及び動作を説明するための図。
【図３Ａ】本実施例１に使用される便蓋の構成及び動作を説明するための図。
【図３Ｂ】本実施例１に使用される便蓋の構成及び動作を説明するための図。
【図４Ａ】本実施例１に使用される便座シートの構成及び動作を説明するための図。
【図４Ｂ】本実施例１において便座シートを肘掛け内の空洞部から便座上に移動するときの動作原理を概念的に説明するための図。
【図５Ａ】本実施例１の主として肘掛け部分の構成及び動作を説明するための図。
【図５Ｂ】本実施例１の主として肘掛け部分の構成及び動作を説明するための図。
【図６Ａ】本実施例１に使用される便座シートの構成及び動作を説明するための図。
【図６Ｂ】本実施例１に使用される便座シートの構成及び動作を説明するための図。
【図７Ａ】本発明の実施例２の主として背もたれ部分の構成及び動作を説明するための図。
【図７Ｂ】本実施例２の主として背もたれ部分の構成及び動作を説明するための図。
【図８】従来の背もたれを利用した便座シート供給装置を示す斜視図。
【符号の説明】
【００８２】
１     便器
２     便座
３     ヒンジ部
４     水タンク
５ａ   出入口
５ｂ   空洞部
５ｃ   案内部（湾曲面）
７     床面
１１   便蓋
１１   空洞部
１２，２９，４３     ワイヤ（可動部）
１３，３０，４４     ワイヤ巻取り部
１４，３６ａ，３６ｂ，４５  紫外線ランプ
１５   人感センサ
１６   リモコン
１７   制御部
２１   昇降台
２２   基部
２３   エアバック
２４   載置台
２４   エアバック
２５   エアポンプ
２６   チューブ
３１ａ，３１ｂ，４２ 便座シート
３２   空洞部
３３   出入口
３４ａ，３４ｂ 案内部
３５ａ，３５ｂ，４６ 面状ヒータ
３７ａ，３７ｂ，４７ 清掃ローラ
４１   仕切り案内板
４１ａ 湾曲面
【図１】
2008018196.tif 000003
【図２Ａ】
2008018196.tif 000004
【図２Ｂ】
2008018196.tif 000005
【図３Ａ】
2008018196.tif 000006
【図３Ｂ】
2008018196.tif 000007
【図４Ａ】
2008018196.tif 000008
【図４Ｂ】
2008018196.tif 000009
【図５Ａ】
2008018196.tif 000010
【図５Ｂ】
2008018196.tif 000011
【図６Ａ】
2008018196.tif 000012
【図６Ｂ】
2008018196.tif 000013
【図７Ａ】
2008018196.tif 000014
【図７Ｂ】
2008018196.tif 000015
【図８】
2008018196.tif 000016